(57)【要約】【課題】  例えばプリンタにおけるカセットの用紙切れが発生した場合に、ユーザの要望に沿うよう、適切に手差し給紙口を含めた給紙口からの給紙切り替えが望まれる。【解決手段】  本発明は、上記の問題点を解決するためになされたもので、その目的は、複数の給紙装置を持つ印刷装置において、給紙自動切り替え機能として、手差しトレイが切り替え対象の給紙段に含まれない場合であっても、カセットから給紙中に用紙なしが発生し、用紙なしエラーとなりカセットへの用紙補給待ちとして一時停止状態となった後、給紙元を手差しトレイに切り替えて印刷を継続したい場合に、簡単な操作のみで手差しトレイに給紙指定を切り替えて手差しトレイから給紙して印刷を行う、といったことが可能な仕組みを提供することにある。【選択図】  図７
2006224379.tif 000002
【特許請求の範囲】
【請求項１】
印刷実行を指示する印刷指示手段と、
データを記録媒体に印刷する印刷手段と、
格納されている記録媒体を前期印刷手段に供給する主給紙手段と、
格納されている記録媒体を前期印刷手段に供給する補助給紙手段と、
主給紙部および補助給紙手段の記録媒体の有無を検知する用紙有無検知手段と、
設定や指示の内容に応じて複数の給紙手段の給紙元を切り替える給紙元切り替え手段と、
前記給紙元切り替え手段による給紙元の自動切り替えを有効になるように設定することが可能な自動切り替え設定手段と、前記自動切り替え設定手段の内容を印刷データに含めた状態で印刷データ生成を行う印刷データ生成手段と、前記給紙元切り替え手段に、給紙元の切り替えを指示可能な印刷ジョブ制御手段とを有し、主給紙装置と補助記憶装置にそれぞれ記録媒体が格納されている場合、主給紙装置から給紙をして印刷中に、主給紙装置内の記録媒体がなくなった場合に、用紙なしエラーとして一時停止状態に遷移し、ユーザの印刷ジョブ制御手段による指示によって、給紙元を補助給紙装置に切り替え、補助給紙装置からの印刷を継続する、といったことが可能な印刷システム。
【請求項２】
前記主給紙手段に格納されている記録媒体のタイプを検知する用紙タイプ検知手段と、前記主給紙手段に格納されている記録媒体のタイプを記憶する用紙タイプ記憶手段とを有することで、
前記印刷指示手段により印刷が実行された場合に用紙サイズ不一致を検出したり、適切な給紙部を選択して印刷を開始することが可能な、請求項１記載の印刷システム。
【請求項３】
前記自動切り替え設定手段により自動切り替えが設定されていた際に、給紙元を補助給紙手段へ切り替えて印刷を継続するかを設定することが可能な継続印刷設定手段と、
前記自動切り替え設定手段の内容に加え、前記継続印刷設定手段の内容と印刷指示手段の内容を印刷データに含めた状態で印刷データ生成を行う印刷データ生成手段とを有することで、給紙元切り替え手段による切り替え対象の給紙段に補助給紙手段を含めるかどうかを設定可能な印刷システム。
【発明の詳細な説明】
【技術分野】
【０００１】
本発明は、印刷装置（プリンタ）、印刷制御装置及び印刷制御方法に関し、特に手差しトレイ、カセット等の複数の給紙装置を有する印刷装置の給紙元を切り替え可能な印刷システムに関する。
【背景技術】
【０００２】
通常、プリンタや複写機、ファクシミリなどの印刷装置では、用紙を給紙するための給紙装置が複数設けられているものがある。一般的に給紙装置は、主に固定の用紙を格納して利用する給紙カセットと、不特定の種類の用紙を格納して利用する手差しトレイの二種類に分かれる。
【０００３】
給紙装置が複数設けられている場合、各給紙装置に格納する用紙は、それぞれ任意の種類の用紙が格納可能であるため、複数の給紙装置に同一の種類の用紙を格納しておくことも可能である。
【０００４】
このように、異なる給紙装置上に同一種類の用紙を格納する場合、最初に給紙元となっている給紙装置１が用紙なし状態となった場合、同一種類の用紙が格納されている他の給紙装置２に自動的に切り替えることで、給紙装置１に用紙を補給しなくてもよいといった、ユーザの負荷を軽減することが行われている（以下、この方法を「給紙自動切り替え機能」と称する。）。
【０００５】
また、給紙装置によっては、現在格納されている用紙サイズ情報を設定または保持・記憶できるものがある。この場合、例えば、給紙カセット１に「Ａ４」といった用紙サイズを設定または保持・記憶しておくことが可能である。
【０００６】
このように、給紙装置に格納されている用紙サイズが予めわかっている場合に、給紙自動切り替え機能が有効になっていると、どの給紙装置を給紙元とするか指定をしなくても適切な用紙サイズの格納されている給紙カセットに自動的に給紙元を切り替えて印刷を行い、ユーザの負荷を軽減することが行われている。
【０００７】
また、給紙自動切り替え機能において、手差しトレイを切り替え対象に含めるかどうかを設定可能としているものもある（特許文献１）。
【特許文献１】特開平07-273934号公報
【発明の開示】
【発明が解決しようとする課題】
【０００８】
しかしながら、上記従来例において、給紙自動切り替え機能の手差しトレイに関する設定の状態によっては、手差しトレイから給紙してほしくない場合にも、給紙元を給紙カセットから手差しトレイに自動的に切り替えてしまい、手差しトレイから給紙してしまったり、あるいは、手差しトレイから給紙してほしい場合にも、給紙元を手差しトレイに切り替わらない場合がある。
【０００９】
具体的には、例えば、給紙カセットと手差しトレイの２つの給紙装置を持っている印刷装置において、給紙カセットには「タイプＡ」の用紙が格納されており、手差しトレイには「タイプＢ」の用紙が格納されているものとし、デフォルトの給紙元は給紙カセットであったとする。
【００１０】
この時、「タイプＡ」の用紙で印刷しなさいといった印刷指示がなされた場合、通常「タイプＡ」が格納されている給紙カセットを給紙元とし、用紙を給紙して印刷が行われる。
【００１１】
この時、給紙自動切り替え機能が有効であり、手差しトレイが切り替え対象に含まれている場合、給紙カセットに用紙切れ等が発生した場合には、給紙自動切り替え機能により給紙元が手差しトレイに自動的に切り替わることとなる。この時手差しトレイには給紙カセットに格納されている「タイプＡ」の用紙とは別な「タイプＢ」の用紙が格納されている場合に、不適切な意図していない用紙に印刷を行ってしまうという問題がある。
【００１２】
更に、印刷装置の中には、こういった問題を避ける為に、給紙自動切り替え機能に対して、「手差しトレイは含まない」といった設定が可能なものがある。
【００１３】
しかしこの設定の場合は、手差しトレイが「タイプＢ」ではなく、給紙カセットと同じ「タイプＡ」の用紙が格納されている場合に、給紙カセットから手差しトレイに給紙元を切り替えることで、大量ページドキュメント等の連続印刷を行いたい場合であっても、給紙自動切り替え機能に手差しトレイが含まれない設定のために給紙元の自動切り替えは行われず、用紙なしエラーとなってしまい、継続印刷できないといった問題がある。
【００１４】
この場合、手差しトレイに切り替えて印刷を行うためには、給紙カセットに用紙を補給するか、もしくは、一度印刷を中断・キャンセルし、再度印刷実行を行い、その際に給紙元の指定を手差しトレイに設定変更する必要があり、ユーザの手間が増えるといった問題がある。
【００１５】
特に、印刷装置側に操作パネルを持っていないホストベースプリンタの場合は、明示的に手指しトレイに給紙段を切り替える方法がないので、印刷をキャンセル後、手差しトレイを指定して再度印刷を実行するといったことを行う必要があり、ユーザの手間が増えるといった問題がある。
【００１６】
本発明は、上記の問題点を解決するためになされたもので、その目的は、複数の給紙装置を持つ印刷装置において、給紙自動切り替え機能として、手差しトレイが切り替え対象の給紙段に含まれない場合であっても、カセットから給紙中に用紙なしが発生し、用紙なしエラーとなりカセットへの用紙補給待ちとして一時停止状態となった後、給紙元を手差しトレイに切り替えて印刷を継続したい場合に、簡単な操作のみで手差しトレイに給紙指定を切り替えて手差しトレイから給紙して印刷を行う、といったことが可能な仕組みを提供することにある。
【００１７】
特に操作パネル等を持たないホストベースの印刷装置においては、遠くにある印刷装置本体で操作することなく、印刷を実行指示した情報処理装置にて簡単な操作のみで手差しトレイに給紙指定を切り替えて手差しトレイから給紙して印刷を行う、といったことが可能な仕組みを提供することにある。
【課題を解決するための手段】
【００１８】
すなわち、本発明の要旨は、印刷処理装置の給紙制御方法において、データを記録媒体に印刷する印刷部と、格納されている記録媒体を前期印刷部に供給する主給紙部と、格納されている記録媒体を前期印刷部に供給する補助給紙部と、前記主給紙部に格納されている記録媒体のタイプを検知する用紙タイプ検知部と、前記主給紙部に格納されている記録媒体のタイプを記憶する用紙タイプ記憶部と、主給紙部および補助給紙部の記録媒体の有無を検知する用紙有無検知部と、設定や指示の内容に応じて複数の給紙部の給紙元を切り替える給紙元切り替え部と、前記給紙元切り替え部による給紙元の自動切り替えを有効になるように設定する自動切り替え設定部と、前記自動切り替え設定部により自動切り替えが設定されていた際に、給紙元を補助給紙部へ切り替えて印刷を継続するかを設定する継続印刷設定部と、前記自動切り替え設定部の内容と前記継続印刷設定部の内容と印刷指示部の内容を印刷データに含めた状態で印刷データ生成を行う印刷データ生成部と、前記給紙元切り替え部に、給紙元の切り替えを指示可能な印刷ジョブ制御部と、を有することで、主給紙装置と補助記憶装置にそれぞれ記録媒体が格納されている場合、主給紙装置から給紙をして印刷中に、主給紙装置内の記録媒体がなくなった場合に、用紙なしエラーとして一時停止状態に遷移し、ユーザの印刷ジョブ制御部による指示によって、給紙元を補助給紙装置に切り替え、補助給紙装置からの印刷を継続する、といったことが可能な情報処理装置、印刷装置と印刷制御装置、および情報処理システム、ならびに印刷制御方法、給紙制御方法を提供することを目的とする。
【発明の効果】
【００１９】
複数の給紙装置を持つ印刷装置において、給紙自動切り替え機能として、手差しトレイが切り替え対象の給紙段に含まれない場合であっても、カセットから給紙中に用紙なしが発生し、用紙なしエラーとなりカセットへの用紙補給待ちとして一時停止状態となった後、給紙元を手差しトレイに切り替えて印刷を継続したい場合に、簡単な操作のみで手差しトレイに給紙指定を切り替えて手差しトレイから給紙して印刷を行うことが可能である、といった効果を有する。
【００２０】
特に操作パネル等を持たないホストベースの印刷装置においては、遠くにある印刷装置本体で操作することなく、印刷を実行指示した情報処理装置にて簡単な操作のみで手差しトレイに給紙指定を切り替えて手差しトレイから給紙して印刷を行うことが可能である、といった効果を有する。
【発明を実施するための最良の形態】
【００２１】
以下、本発明の発明を実施するための最良の形態について図面を用いて説明する。
【００２２】
まず、本発明の実施形態に係る印刷制御システムの構成を説明する前に、本発明による印刷制御システムに適用可能なプリンタとしてのレーザービームプリンタの構成について図１を参照しながら説明する。なお、本実施形態においてプリンタとして用いる装置はレーザービームプリンタに限られるものではなく、他のプリント方式のプリンタでも良い事は言うまでもない。
【００２３】
図１は、本発明の印刷制御システムに適用可能なカラーレーザビームプリンタの構成を示す断面図である。
【００２４】
図中符号１００は、カラーレーザビームプリンタ本体（以下、ＣＬＢＰという）で、接続されているホストコンピュータによって展開され供給される印刷データを記録媒体である記録紙等に像を形成するものである。１０４はＣＬＢＰ１００全体のコントローラユニットである。このコントローラユニット１０４は、ホストコンピュータから受け取った印刷データをビデオ信号に変換してレーザドライバ１１０に出力する。
【００２５】
コントローラユニット１０４からのビデオ信号の出力を受けたレーザドライバ１１０は、半導体レーザ１１１から発射されるレーザ光１１３のオン・オフ切替をする。レーザ光１１３は、回転多面体鏡１１２の回転に応じて左右にふられ、静電ドラム１２１上に印刷パターンの静電潜像を形成する。静電ドラム１２１は、帯電ローラ１２２の帯電部により予め均一に帯電されており、レーザ光走査によって部分的に除電がなされ、前記静電潜像が形成されるものである。
【００２６】
この静電潜像は、自らは所定の一定方向姿勢を保ちつつ矢印の方向に回転し、順次当接されるシアン(Ｃ)、マゼンタ(Ｍ)、イエロー(Ｙ)、ブラック(Ｋ)のロータリ現像部１２４Ｃ、１２４Ｍ、１２４Ｙ、１２４Ｋにより現像される。現像された４色の画像は、中間転写体１４５に多重転写される。
【００２７】
記録紙にはカットシート記録紙１３５が用いられる。このカットシート記録紙１３５はＣＬＢＰ１００の給紙装置１４７に装填され、給紙ローラ１４８および搬送ローラ１４９により装置内に取り込まれて、中間転写体１４５から転写することにより、フルカラー画像を形成した後、定着ローラ１４０および加圧ローラ１４１により定着を行い、画像形成を終了する。尚、中間転写体１４５は、コントローラユニット１０４からの制御信号１５９により動作する中間転写体制御装置１５８により制御される。
【００２８】
次に、コントローラユニット１０４における画像データの処理に関して説明する。
【００２９】
本実施形態においては、画像データは、上位装置であるホストコンピュータ上において全てイメージデータとして処理された上、所定のインターフェースを用いてＣＬＢＰ１００へと転送される。この際の画像データはＣＭＹＫ各色２値以上のイメージデータであり、必要に応じて圧縮されたものになっている。コントローラユニット１０４では、受け取った画像データの伸張を行うとともに、パルス幅変調信号としてレーザドライバ１１０に出力する。
【００３０】
図２は、本発明の印刷制御システムに適用可能なＣＬＢＰ及びそれと接続された上位装置であるホストコンピュータの内部ブロック図である。
【００３１】
ホストコンピュータ３０００では、外部記憶装置４２に格納されたプログラムがＲＡＭ２にロードされ、ＣＰＵ１により実行される。こうしたプログラムには、印刷処理を行うデバイスドライバや、印刷装置のステータスを表示するアプリケーションプログラムなどがある。またその他に、オペレーティングシステムや、文書処理プログラム等に基づいて図形、イメージ、文字、表（表計算等を含む）等が混在した文書処理を実行するアプリケーションプログラムなどが挙げられる。
【００３２】
ＣＰＵ１は、これらのプログラムを実行するとともに、システムバス４に接続される各デバイスの統括的な制御を行う。また、ＣＰＵ１はＣＲＴ４１上の不図示のマウスカーソル等で指示されたコマンドに基づいて登録された種々のウィンドウを開き、種々のデータ処理を実行する。
【００３３】
ＲＡＭ２は、ＣＰＵ１の主メモリ、ワークエリア等として機能する。５はキーボードコントローラ（ＫＢＣ）で、キーボード４０や不図示のポインティングデバイスからのキー入力を制御する。６はＣＲＴコントローラ（ＣＲＴＣ）であり、ＣＲＴ４１の表示を制御する。７はディスクコントローラ（ＤＫＣ）であり、ブートプログラム、種々のアプリケーション、フォントデータ、ユーザーファイル、編集ファイル等を記憶するハードディスク（ＨＤＤ）、フロッピー（登録商標）ディスク（ＦＤ）やＣＤ−ＲＯＭ等の外部記憶装置４２とのアクセスを制御する。９はパラレル入出力コントローラ（ＰＩＯＣ）で、双方向パラレルインターフェース３１を介してＣＬＢＰ１００との双方向通信制御処理を実行する。
【００３４】
印刷が行われる場合は、ホストコンピュータ３０００で印刷データが作成され、スプールデータとして外部記憶装置４２に格納される。このスプールデータは、パラレルインターフェース３１を介してＣＬＢＰ１００に送られる。
【００３５】
なお、ここでは、転送インターフェースを双方向パラレルインターフェースとしたが、もちろんこれは、ＵＳＢインターフェースやＩＥＥＥ１３９４インターフェースであっても構わない。
【００３６】
ＣＬＢＰ１００で受信された印刷データは、ＣＰＵ２１と制御部２２の制御処理にしたがって順次ＲＡＭ２４へ送り込まれる。ＣＰＵ２１では、ＲＯＭ２３に記憶された制御プログラムによって、システムバス２８に接続された各デバイス及び印刷装置の制御を行っている。ＲＡＭ２４は、ＣＰＵ２１のワークエリアや主にデータの受信バッファ、すなわちＦＩＦＯ（First-In First-Out方式）として用いられる。
【００３７】
符号２２は制御部で、メモリの制御やバスの調停等の制御を行うものである。２５は印刷部入出力コントローラ（印刷部ＩＯＣ）でＲＡＭ２４に格納されていた圧縮データの伸張、画像処理等を制御部２２で行い、順次印刷部インターフェースを介して印刷部５０へ出力する。
【００３８】
（印刷装置の概略）
図３は、本発明の実施例を示すＣＬＢＰ１００をより簡略化したプリンタ概観図である。
【００３９】
プリンタは、大きく分けるとホストコンピュータから受信したデータを印刷用紙に印刷する印刷部をはじめ、印刷動作を制御する制御部等をもった装置本体３０１と、印刷部へ用紙を供給する給紙カセット３０２とからなる。
【００４０】
給紙カセット３０２には、用紙サイズ識別機能があり、給紙カセット３０２に格納されている用紙サイズを識別し、記憶することが可能である。
【００４１】
もちろん、用紙サイズ検知センサ等で自動的に給紙カセット３０２に格納されている用紙サイズを識別し、記憶してもよい。
【００４２】
また給紙カセット３０２とは別に、任意サイズの用紙に対応可能な多目的トレイ（以下手差しトレイと記す）３０３が装備されている。
【００４３】
尚、装置本体３０１には、給紙カセット３０２、及び手差しトレイ３０３の用紙の有無を検知する用紙検知センサが設けられており、これらのセンサにより用紙の有無が検知されるようになっている。
【００４４】
以上、本発明の実施形態に係る機器の構成について説明したが、以下に本実施形態における具体的な実現方法を説明する。
【００４５】
（印刷システムの全体構成）
図４は本実施形態に係る印刷システムで用いられる、ホストコンピュータ及びプリンタの機能構成例を示すブロック図である。
【００４６】
図４に示すように、この印刷システムは、ホストコンピュータ（ホスト）４００が印刷ジョブを作成し、双方向インターフェイス４２０を介して印刷ジョブをプリンタ４１０に送信し、プリンタ４１０では、ホストから受信した印刷ジョブを処理し、印刷結果を出力する。
【００４７】
尚、双方向インターフェイス４２０は、ホスト４００とプリンタ４１０間でデータの受け渡しが可能であればよく、ホスト４００とプリンタ４１０が、直接ケーブル等で接続されていても、ＬＡＮ等のネットワークを介して接続されていても良いことは言うまでもない。
【００４８】
具体的には、図４に示すホスト４００は、印刷指示部４０１と、印刷データ生成部４０２と、給紙自動切り替え設定ＵＩ部４０３と、継続印刷設定ＵＩ部４０４と、印刷ジョブ制御部４０５と、ステータス表示部４０６と、ホスト送受信部４０７からなる。
【００４９】
また、図４に示すプリンタ４１０は、主給紙部４１１と、補助給紙部４１２と、用紙タイプ検知部４１３と、用紙タイプ記憶部４１４と、用紙有無検知部４１５と、給紙元切り替え部４１６と、プリンタ制御部４１７と、印刷部４１８と、プリンタ送受信部４１９とからなる。
【００５０】
主給紙部４１１は、固定の種類の用紙を格納しておく給紙カセットのことで、通常デフォルトとして利用され、主に通常印刷に使用される用紙を格納しておくことが多い。また、主給紙部４１１は、用紙タイプ検知部４１３により用紙サイズの検知が可能であり、検知した用紙サイズは用紙タイプ記憶部４１４に保持することが可能である。また、主給紙部４１１は、用紙有無検知部４１５により、用紙の有無を検知可能である。
【００５１】
補助給紙部４１２は、不特定の、任意の種類の用紙を格納しておく手差しトレイのことで、手軽な給紙手段として様々なタイプの用紙を用紙を格納しておくことが多い。
【００５２】
用紙タイプ検知部４１３は、主給紙部４１１に格納されている用紙サイズの検知を行う。
【００５３】
用紙タイプ記憶部４１４は、用紙タイプ検知部４１３で検知された用紙サイズを保持・記憶する。
【００５４】
用紙有無検知部４１５は、主給紙部４１１および補助給紙部４１２に用紙があるかどうかを検知する。
【００５５】
給紙元切り替え部４１６は、プリンタ制御部４１８からの指示により、給紙装置を切り替える。主給紙部４１１が給紙元であった場合、給紙元切り替え部４１６により補助給紙部４１２に給紙元を切り替えるといったことが可能である。
【００５６】
プリンタ制御部４１７は、プリンタの動作全般の制御を行う。
【００５７】
プリンタ送受信部４１９は、ホストとプリンタ間でデータやコマンドのやりとりを行う為のＩ／Ｆである。
【００５８】
印刷部４１８は、ホストから印刷実行の指示がなされた場合に、印刷動作を行う。
【００５９】
印刷指示部４０１は、印刷実行のための印刷データ生成を開始する指示を行う。
【００６０】
印刷データ生成部４０２は、印刷を行いたい用紙タイプ情報が盛り込まれた印刷データの生成を行う。
【００６１】
給紙自動切り替え設定ＵＩ部４０３は、給紙元に設定されている主給紙部４１１で用紙切れが発生したり、主給紙部４１１に、印刷を行いたい用紙サイズが格納されていない場合に、自動的に別な給紙装置に給紙元を切り替えるかどうかを設定するＵＩ部である。
【００６２】
継続印刷設定ＵＩ部４０４は、給紙自動切り替え設定ＵＩ部４０３で、自動切り替え機能が有効と設定されていた場合に、補助給紙部４１２を切り替え対象の給紙装置として含めるかどうかを設定するＵＩ部である。
【００６３】
印刷ジョブ制御部４０５は、プリンタがエラー状態等になっている場合に、エラー解除の指示を行ったり、印刷ジョブの削除指示を行うことが可能であり、双方向インターフェイス部４２０を経由して、プリンタ制御部４１８へ指示を行うことが可能である。
【００６４】
ステータス表示部４０６は、プリンタの状態をホストの画面上に表示可能であり、プリンタにて発生しているエラー等の情報を表示すると共に、印刷ジョブ制御部４０５のＵＩも兼ねている。
【００６５】
ホスト送受信部４０７は、ホストとプリンタ間でデータやコマンドのやりとりを行う為のＩ／Ｆである。
【００６６】
尚、給紙自動切り替え設定ＵＩ部４０３および継続印刷設定ＵＩ部４０４は、ホスト側以外にも、例えば操作パネル等を用いて、プリンタ側で設定可能であってしても良いことはいうまでもない。
【００６７】
以上、各処理部での処理内容について説明したが、以下に本実施形態における具体的な実現方法を説明する。
【００６８】
まず、本実施の形態における、ホスト４００で設定を行う給紙自動切り替え設定ＵＩ部４０３および継続印刷装置設定ＵＩ部４０４のＵＩ画面例を示す。
【００６９】
図５は、給紙自動切り替え設定ＵＩ部４０３および継続印刷装置設定ＵＩ部４０４のＵＩ画面の例である。
【００７０】
尚、本ＵＩ画面例では、給紙装置がカセット１とカセット２、および、手差しトレイの三種類である場合を例にしているが、これ以外の構成にて複数の給紙装置が実装されている場合も同様に設定可能であることは言うまでもない。
【００７１】
給紙元選択部５０１は、プリンタの給紙元を設定する。この時「自動」が選択されていると、デフォルトの給紙元であるカセット１で用紙切れが発生したり、カセット１に印刷を行いたい用紙サイズが格納されていない場合に、自動的に他の給紙段に給紙元を切り替えるといった動作を行うことが可能となる。
【００７２】
また、給紙元選択部５０１で「カセット１」が選択されていた場合は、いかなる印刷データであってもカセット１に格納されている用紙で印刷を行うようにプリンタへ指示を行うことが可能となる。
【００７３】
また、給紙元選択部５０１で「カセット２」が選択されていた場合は、いかなる印刷データであってもカセット２に格納されている用紙で印刷を行うようにプリンタへ指示を行うことが可能となる。
【００７４】
また、給紙元選択部５０１で「手差しトレイ」が選択されていた場合は、いかなる印刷データであっても手差しトレイに格納されている用紙で印刷を行うようにプリンタへ指示を行うことが可能となる。
【００７５】
継続印刷設定部５０２は、前記給紙元選択部５０１で「自動」が選択されていた場合に、「手差しトレイで印刷を継続する」を有効もしくは無効に設定にしておくことが可能である。
【００７６】
尚、本ＵＩ画面例では、自動給紙切り替え機能に手差しトレイを含めるがどうかを、継続印刷設定部５０２にて行えるように説明したが、継続印刷設定部５０２としてのＵＩを持たずに、給紙自動切り替え機能として、あらかじめ「手差しトレイ」を含める、もしくは、含めない、といった形態にしてもよいことはいうまでもない。
【００７７】
設定ボタン５０３は、設定変更した場合にそれを設定する場合に押下する。
【００７８】
キャンセルボタン５０４は、設定した内容を破棄したい場合に押下する。
【００７９】
尚、図５で示した登録内容は一例であり、同様の設定が可能であればこれら内容以外であってもよいことは言うまでもない。
【００８０】
次に、本実施の形態における、ホスト４００にて、プリンタのステータス表示が可能なステータス表示部４０６の画面例を図６に示す。
【００８１】
尚、ステータス表示部４０６は、現状のプリンタのステータスを画面表示するだけではなく、印刷ジョブに対する制御を行うことも可能であり、印刷ジョブ制御部４０５による印刷ジョブに対する制御指示も本画面上から可能である。
【００８２】
ステータス部６０１は、印刷可能状態や紙づまり、用紙なしエラーといった、プリンタの現状の状態を表示する。
【００８３】
補助表示部６０２は、前記ステータス部６０１に表示されたプリンタの状態に対する補足情報を表示する。また、あるカセットに用紙がない状態であるとか、ある特定の色のトナーが無い状態である、といった補足情報も表示可能である。
【００８４】
エラー復帰ボタン６０３は、エラー発生時に押下することが可能であり、押下することで、プリンタにて発生している解除可能なエラーを解除するよう、プリンタ制御部４１８に指示を行う。
【００８５】
ジョブ削除ボタン６０４は、印刷実行中または印刷ジョブが存在する状態で押下することが可能であり、押下することで、印刷ジョブをキャンセルすることができる。
【００８６】
尚、本例ではステータス表示部４０６のＵＩ画面内にて、印刷ジョブ制御部４０５による印刷ジョブに対する制御指示も可能であるように説明したが、それぞれ独立したＵＩ画面であってもよいことは言うまでもない。
【００８７】
次に、図７に示すフローチャート図を用いて、本実施の形態における給紙装置の切り替え方法について説明する。
【００８８】
まず、ホスト４００上の印刷指示部４０１によって任意のアプリケーションソフトから印刷が指示されると、印刷データ生成部４０２により印刷データの生成を行う。
【００８９】
尚、給紙自動切り替え設定ＵＩ部４０３にて設定された内容と、継続印刷設定ＵＩ部４０４で設定された内容についても、印刷データに含まれ、本実施例では、給紙自動切り替え設定ＵＩ部４０３にて「自動」が選択されているものとする。
【００９０】
生成された印刷データは、ホスト送受信部４０７により、プリンタ４１０へ送信される。
【００９１】
プリンタ４１０上のプリンタ送受信部４１９が印刷データを受け取ると、デフォルトの給紙元であるカセット１から給紙して印刷を開始する。（ステップＳ７０１）。
【００９２】
前記ステップＳ７０１の給紙処理において、用紙有無検知部４１５がカセット１の「用紙なし」を検知すると、次にプリンタ制御部４１７は、給紙自動切り替え設定ＵＩ部４０３にて設定され、印刷データ内に含まれる「給紙自動切り替え設定」が有効になっているかどうかを判定する（ステップＳ７０２、Ｓ７０３）。
【００９３】
前記ステップＳ７０３において、「給紙自動切り替え設定」が有効であった場合は、更にプリンタ制御部４１７は、継続印刷設定ＵＩ部４０４にて設定され、印刷データ内に含まれる「手差しトレイ継続印刷設定」が有効になっているかどうかを判定する（ステップＳ７０４）。
【００９４】
前記ステップＳ７０４において、「手差しトレイ継続印刷設定」が有効であった場合は、給紙元切り替え部４１６は、給紙元を手差しトレイに切り替え、手差しトレイから給紙を行う（ステップＳ７０８）。
【００９５】
また、前記ステップＳ７０４において、「手差しトレイ継続印刷設定」が無効であった場合は、手差しトレイへの給紙元切り替えは行わないので、プリンタ制御部４１８は用紙なしエラーをホストへ通知し、ステータス表示部４０６へ「用紙なしエラー」を表示する（ステップＳ７０５）。
【００９６】
前記ステップＳ７０５において、「用紙なしエラー」が表示されると、ユーザアクション待ちとなる（ステップＳ７０６、ステップＳ７０７）。
【００９７】
前記ステップＳ７０７において、ステータス表示部４０６にて表示しているステータスウィンドウ６００画面上の「エラー復帰」ボタンが押下され、エラー復帰の指示がなされると、印刷ジョブ制御部４０５は、双方向インターフェイス４２０を経由して、プリンタ制御部４１８に指示を行い、給紙元切り替え部４１６にて、給紙元をカセット１から手差しトレイに切り替え、手差しトレイにセットされている用紙にて印刷動作を継続する（ステップＳ７０８）。
【００９８】
また、前記ステップＳ７０７において、ステータス表示部４０６にて表示しているステータスウィンドウ６００画面上の「ジョブ削除」ボタンが押下され、印刷ジョブ削除の指示がなされると、印刷ジョブ制御部４０５は、双方向インターフェイス４２０を経由して、プリンタ制御部４１８に指示を行い、現在印刷中のジョブの削除を行う（ステップＳ７０９）。
【００９９】
また、前記ステップＳ７０７において、用紙なし状態となっているカセット１に用紙を補給すると、用紙有無検知部４１５にて用紙が補給されたことを検知し、プリンタ制御部４１８は、カセット１からの印刷を再開する（ステップＳ７１０）。
【０１００】
次に、前記ステップＳ７０３において、「給紙自動切り替え設定」が無効であった場合は、手差しトレイへの給紙元切り替えは行わないので、プリンタ制御部４１８は用紙なしエラーをホストへ通知し、ステータス表示部４０６へ「用紙なしエラー」を表示する（ステップＳ７１１）。
【０１０１】
前記ステップＳ７１１において、「用紙なしエラー」が表示されると、ユーザアクション待ちとなる（ステップＳ７１２、ステップＳ７１３）。
【０１０２】
前記ステップＳ７１３において、ステータス表示部４０６にて表示しているステータスウィンドウ６００画面上の「ジョブ削除」ボタンが押下され、印刷ジョブ削除の指示がなされると、印刷ジョブ制御部４０５は、双方向インターフェイス４２０を経由して、プリンタ制御部４１８に指示を行い、現在印刷中のジョブの削除を行う（ステップＳ７１４）。
【０１０３】
また、前記ステップＳ７１３において、用紙なし状態となっているカセット１に用紙を補給すると、用紙有無検知部４１５にて用紙が補給されたことを検知し、プリンタ制御部４１８は、カセット１からの印刷を再開する（ステップＳ７１５）。
【０１０４】
ここで、前記ステップＳ７０５において、「用紙なしエラー」を表示し、ユーザアクション可能な場合のステータス表示部４０６の画面例を図８に示す。
【０１０５】
プリンタが用紙なし状態となると、ホスト上に表示しているステータスウィンドウ８００上のステータス部８０１に「用紙がありません」と表示される。
【０１０６】
また、補助表示部８０２には、「カセット１に用紙をセットしてください。または、現在手差しトレイにセットされている用紙で印刷する場合は、［エラー復帰］をクリックしてください。」と表示し、ユーザアクションを促すための補助説明を表示する。
【０１０７】
もちろん、本表示内容は一例であり、本表示内容がなくても、また本表示内容以外でもよいことはいうまでもない。
【０１０８】
エラー復帰ボタン８０３は、前記ステップＳ７０８にて説明した通り、本ボタンを押下することで、給紙元をカセット１から手差しトレイに切り替え、手差しトレイにセットされている用紙にて印刷動作を継続可能となる。
【０１０９】
尚、本実施例では、「エラー復帰」ボタンとして説明しているが、あくまで一例であり、同様の給紙元を切り替えるための指示動作を行うことが可能であれば、これに限るものではないことはいうまでもない。
【０１１０】
ジョブ削除ボタン８０４は、前記ステップＳ７０９、および、ステップＳ７１４にて説明した通り、本ボタンを押下することで、該当印刷ジョブを削除することが可能である。
【０１１１】
このように、印刷ジョブを一度キャンセルし、再度用紙の格納されている給紙段を指定しなおして、再印刷を行うことが可能となる。
【０１１２】
尚、本実施例では、「ジョブ削除」ボタンとして説明しているが、あくまで一例であり、同様の印刷ジョブ削除を行うための指示動作を行うことが可能であれば、これに限るものではないことはいうまでもない。
【０１１３】
また、本例ではステータス表示部４０６のＵＩ画面内にて、印刷ジョブ制御部４０５による印刷ジョブに対する制御指示も可能であるように説明したが、それぞれ独立したＵＩ画面であってもよいことは言うまでもない。
【０１１４】
以上説明した様に、本第１の実施形態では、
複数の給紙装置を持つ印刷装置において、給紙自動切り替え機能として、手差しトレイが切り替え対象の給紙段に含まれない場合であっても、カセットから給紙中に用紙なしが発生し、用紙なしエラーとなりカセットへの用紙補給待ちとして一時停止状態となった後、給紙元を手差しトレイに切り替えて印刷を継続したい場合に、簡単な操作のみで手差しトレイに給紙指定を切り替えて手差しトレイから給紙して印刷を行うことが可能である、といった効果を有する。
【０１１５】
特に操作パネル等を持たないホストベースの印刷装置においては、遠くにある印刷装置本体で操作することなく、印刷を実行指示した情報処理装置にて簡単な操作のみで手差しトレイに給紙指定を切り替えて手差しトレイから給紙して印刷を行うことが可能である、といった効果を有する。
【０１１６】
（他の実施形態）
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
【０１１７】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１１８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【０１１９】
本発明を上記記憶媒体に適用する場合、その記憶媒体には、先に説明した（図７）フローチャートに対応するプログラムコードが格納されることになる。
【図面の簡単な説明】
【０１２０】
【図１】本発明の印刷システムに適用可能なプリンタとしてのレーザプリンタの構成を示す断面図である。
【図２】本発明の印刷システムを構成可能なホストコンピュータとプリンタの構成例を示すブロック図である。
【図３】本発明の印刷システムに適用可能なプリンタの簡略化したプリンタの構成を示すプリンタ概観図である。
【図４】本発明にかかるホストコンピュータとプリンタの機能ブロック図である。
【図５】本発明の実施形態における、設定画面内容の一例を示す図である。
【図６】本発明の実施形態における、プリンタのステータス表示画面（印刷可能状態時）の一例を示す図である。
【図７】本発明の第１の実施形態における、処理を説明するフローチャート図である。
【図８】本発明の実施形態における、プリンタのステータス表示画面（用紙なしエラー発生時）の一例を示す図である。
【符号の説明】
【０１２１】
１  ＣＰＵ
２  ＲＡＭ
３  ＲＯＭ
４  システムバス
５  キーボードコントローラ
６  ＣＲＴコントローラ
７  ディスクコントローラ
８  制御部
９  パラレル入出力コントローラ
２１  ＣＰＵ
２２  プリンタ制御部
２３  ＲＯＭ
２４  ＲＡＭ
２５  印刷部入出力コントローラ
２６  パラレル入出力コントローラ
２８  システムバス
３１  双方向パラレルインターフェース
４０  キーボード
４１  ＣＲＴ
４２  外部記憶装置
５０  印刷部
１００  ＣＬＢＰ本体
１０４  コントローラユニット
１１０  レーザドライバ
１１１  半導体レーザ
１１２  回転多面体鏡
１１３  レーザ光
１２１  静電ドラム
１２２  帯電ローラ
１２４Ｃ、１２４Ｍ、１２４Ｙ、１２４Ｋ  ロータリ現像部
１４０  定着ローラ
１４１  加圧ローラ
１４７  給紙装置
１４８  給紙ローラ
１４９  搬送ローラ
１５８  中間転写体制御装置
１５９  制御信号
【図１】
2006224379.tif 000003
【図２】
2006224379.tif 000004
【図３】
2006224379.tif 000005
【図４】
2006224379.tif 000006
【図５】
2006224379.tif 000007
【図６】
2006224379.tif 000008
【図７】
2006224379.tif 000009
【図８】
2006224379.tif 000010